(57)【特許請求の範囲】
【請求項１】
四周を枠材により枠組みしたパネルユニットを上下左右に隣接配置しながら建物躯体に取り付けるユニット式カーテンウォールにおける止水構造であって、
前記パネルユニットの上枠は室内がわ寄り位置に部材長手方向に沿ってシールパッキンを有する起立壁を有し、上段側に設置されたパネルユニットの下枠から垂下する垂下片が前記シールパッキンに接触する構造とされ、
水平方向に隣接するパネルユニット間において、上枠の室外がわ寄り位置に縦目地を交差しながら両上枠間に跨る所定区間にレインバリヤを配設するとともに、上枠の室内がわ寄り位置に縦目地を交差しながら両上枠間に跨る所定区間にウインドバリヤを配設し、前記レインバリヤ配設部位とウインドバリヤ配設部位との間に雨水を排水するための横樋を形成し、
前記ウインドバリヤは、前記シールパッキンおよび垂下片による水平方向のシール部よりも上部側に縦目地を交差しながら両上枠間に跨る所定区間に配設されるとともに、上枠と下枠とに密着する第１の気密バリヤと、前記左右のパネルユニット間において前記起立壁同士の間隙部分に挿入されるとともに、前記シールパッキンの端面が当接する目地部気密バリヤと、前記垂下片の下方側位置に縦目地を交差しながら両上枠間に跨る所定区間に配設されるとともに、前記垂下片の先端が当接する第２の気密バリヤとが一体的に形成されていることを特徴とするユニット式カーテンウォールにおける止水構造。
【請求項２】
前記第２の気密バリヤは、該気密バリヤの設置座面を形成するとともに、形状保持材を兼ねる所定断面形状のゴム部材を一体的に備えている請求項１記載のユニットカーテンウォールにおける止水構造。
【請求項３】
前記レインバリヤはゴム系材料からなる定型シール材であり、上面側に気密バリヤを一体的に備え、上段側に設置されるパネルユニットの下枠から垂下する垂下片の先端が前記気密バリヤに当接している請求項１、２いずれかに記載のユニット式カーテンウォールにおける止水構造。
【請求項４】
前記横樋は水平方向目地ラインよりも深く形成されている請求項１〜３いずれかに記載のユニット式カーテンウォールにおける止水構造。
【発明の詳細な説明】
【０００１】
【発明の属する技術分野】
本発明は、四周を枠材により枠組みしたパネルユニットを上下左右に隣接配置しながら建物躯体に取り付けるユニット式カーテンウォールにおける止水構造に係り、詳しくは各パネルユニットの隅部が交合する目地交点部において不定形シール材を一切使わずに水密性を確保するようにした止水構造に関する。
【０００２】
【従来の技術】
従来より、四周の枠材を枠組みし、これにガラスなどのパネルを取り付けたパネルユニットを建物の壁面に上下および左右方向に隣接配置して取付けるユニット式カーテンウォール工法が知られている。
【０００３】
上下方向および左右方向に隣接するパネルユニット間では、例えば上枠と下枠間に介在されるシールパッキンによって比較的完全な水密性を得易いが、４枚のパネルユニットの隅部が交合する目地交点部においては、僅かの施工誤差や経年によるシール材の劣化等により完全な水密性を得難いなどの問題がある。
【０００４】
そこで、一般的には、前記パネルユニット目地交点部における止水構造として、例えば図１１に示されるように、左右方向に隣接するパネルユニット６０，６０間において、横樋となる上枠６１，６１の溝間に跨ってアルミ製のジョイント部材６３を渡し、このジョイント部材６３の周囲に湿式の不定形シール材６４を充填して止水を図り、前記横樋を連続させるようにした構造のものや、特開平6-240791号公報（図１２）に示されるように、左右方向に隣接するパネルユニット６０，６０の上枠６１，６１間に跨ってジョイント式乾式シール材６５を横架させるとともに、この乾式シール材６５の上面に同じくパネルユニット間に跨る金属製の押え金物６６をボルト固定し、横樋を水平方向に連続させるようにしたものなどが提案されている。なお、前記横樋に浸入した雨水は前記止水部近傍の前面壁に形成された排水孔６１ａより室外がわに排出されるようになっている（図１１参照）。
【０００５】
【発明が解決しようとする課題】
先ず、前者の湿式シール工法の場合には、カーテンウォールの施工時に、下段側パネルユニットの取付けを終えて、上段側パネルユニットを取り付ける前にシーリング工事が必要となり、異なる工種が輻輳するため施工工程の調整が必要になるなど施工管理が複雑化するとともに、施工効率が向上しないなどの問題があった。
【０００６】
一方、後者の乾式シール工法は前述の問題が改善されるけれども、ジョイント式乾式シール材の全周に亘って均一な止水性を期待し難い。また、横樋は不定形シールを使用することなく連続するようになるけれども、シールパッキン６７が長手方向に沿って付設された上枠の起立壁６８の目地部（図１１におけるＡ部）に間隙が形成されたままである。この隙間を埋める場合には、やはり不定形シール材を充填せざるを得ないなどの問題がある。
【０００７】
そこで本発明の主たる課題は、四周を枠材により枠組みしたパネルユニットを上下左右に隣接配置しながら建物躯体に取り付けるユニット式カーテンウォールにおいて、４枚のパネルユニットが交わる目地交点部の止水構造に係り、不定形シール材を一切使用することなく、十分な止水性を確保し得るものとし、カーテンウォールユニットの施工を効率化することにある。
【０００８】
【課題を解決するための手段】
前記課題を解決するための本発明は、四周を枠材により枠組みしたパネルユニットを上下左右に隣接配置しながら建物躯体に取り付けるユニット式カーテンウォールにおける止水構造であって、
前記パネルユニットの上枠は室内がわ寄り位置に部材長手方向に沿ってシールパッキンを有する起立壁を有し、上段側に設置されたパネルユニットの下枠から垂下する垂下片が前記シールパッキンに接触する構造とされ、
水平方向に隣接するパネルユニット間において、上枠の室外がわ寄り位置に縦目地を交差しながら両上枠間に跨る所定区間にレインバリヤを配設するとともに、上枠の室内がわ寄り位置に縦目地を交差しながら両上枠間に跨る所定区間にウインドバリヤを配設し、前記レインバリヤ配設部位とウインドバリヤ配設部位との間に雨水を排水するための横樋を形成し、
前記ウインドバリヤは、前記シールパッキンおよび垂下片による水平方向のシール部よりも上部側に縦目地を交差しながら両上枠間に跨る所定区間に配設されるとともに、上枠と下枠とに密着する第１の気密バリヤと、前記左右のパネルユニット間において前記起立壁同士の間隙部分に挿入されるとともに、前記シールパッキンの端面が当接する目地部気密バリヤと、前記垂下片の下方側位置に縦目地を交差しながら両上枠間に跨る所定区間に配設されるとともに、前記垂下片の先端が当接する第２の気密バリヤとが一体的に形成されていることを特徴とするものである。
【０００９】
この場合、前記第２の気密バリヤは、該気密バリヤの設置座面を形成するとともに、形状保持材を兼ねる所定断面形状のゴム部材を一体的に備えていることが望ましい。前記レインバリヤはゴム系材料からなる定型シール材であり、上面側に気密バリヤを一体的に備え、上段側に設置されるユニットの下枠下面から垂下する垂下片の先端が前記気密バリヤに当接していることが望ましい。また、前記横樋は水平方向目地ラインよりも深く形成されていることが望ましい。
【００１０】
【発明の実施の形態】
以下、本発明の実施の形態について図面を参照しながら詳述する。
図１は本発明に係るユニット式カーテンウォールの正面図、図２は図１のII−II線矢視図、図３は図１のIII−III線矢視図、図４は図１のIV−IV線矢視図、図５は図１のV−V線矢視図である。
【００１１】
本止水構造が適用されるカーテンウォール形式は、建物躯体（床）の端部に固定された方立支持金具によって、水平方向に間隔をおいて上下方向に沿って方立を架け渡した後、この方立を支持部材として、パネルユニットを順に取り付けるようにしたセミユニット方式バックマリオン工法や、方立を左右に分割構造とし、分割方立を一体的に備える縦枠、および上・下横枠とにより構成されたパネルユニットを順に建物躯体（床）の端部に固定された方立支持金具に取り付けるようにしたフルユニット方式スプリットマリオン工法のように、四周を枠材により枠組みしたパネルユニットを上下左右に隣接配置しながら建物躯体に取り付けるようにしたユニット式カーテンウォールに適用される。以下、前記フルユニット方式スプリットマリオンの例により本止水構造について詳述する。
【００１２】
前記フルユニット方式スプリットマリオン工法に係るカーテンウォール構造は、図２〜図４に示されるように、方立を左右に分割構造とし、分割方立１３Ａ、１３Ｂを一体的に備える縦枠３Ａ、３Ｂ、上・下横枠４Ａ、４Ｂおよび図示の例では中間横枠５を含んで枠状部材を構成するとともに、この枠状部材の室外面側に縦押縁６Ａ、６Ｂおよび横押縁７Ａ、７Ｂを取付け、ガラスＧ、Ｇ（複層ガラス）を嵌め込んだパネルユニットＵを、建物躯体（床）の端部に固定された方立支持金具に順に取り付けるようにした構造のカーテンウォールである。
【００１３】
以下、具体的に詳述すると、
前記方立１３は、左右対の分割方立１３Ａ、１３Ｂからなり、左右の関係で組み合わされ一体を成すもので、一方側の分割方立１３Ａは、略方形状の中空断面を成し、対向面の室内がわ寄り位置には凹部１３ａが形成されているとともに、室外側の面には部材長手方向に沿って板状突片１３ｂ、Ｌ字状突片１３ｃが夫々形成されている。他方の分割方立１３Ｂも同様に、略方形状の中空断面を成し、対向面の室内がわ寄り位置には突片１３ｄが形成され、室外側の面には部材長手方向に沿って板状突片１３ｆ、Ｌ字状突片１３ｅが夫々形成されている。
【００１４】
前記分割方立１３Ａを縦枠３Ａの室内がわ面に一体的に組み付けるには、前記分割方立１３Ａの室外がわ面に形成されたＬ字状突片１３ｃを縦枠３Ａの室内がわ面に形成された断面Ｌ字状係止片２６ａに係止するとともに、分割方立１３Ａの室外がわ面に形成された板状突片１３ｂを縦枠３Ａの室内がわ面に形成された板状突片２７ａと重ね合わせ、両者を貫通する連結ビス４３，４３…によって連結を図る。この連結部には縦方向に沿ってカバー材３３が取り付けられる。
【００１５】
一方の分割方立１３Ｂを縦枠３Ｂの室内がわ面に一体的に組み付ける場合も同様に、前記分割方立１３Ｂの室外がわ面に形成されたＬ字状突片１３ｅを縦枠３Ｂの室内がわ面に形成された断面Ｌ字状係止片２６ｂに係止するとともに、分割方立１３Ｂの室外がわ面に形成された板状突片１３ｆを縦枠３Ｂの室内がわ面に形成された板状突片２７ｂと重ね合わせ、両者を貫通する連結ビス４３，４３…によって連結を図る。この連結部にも縦方向に沿ってカバー材３３が取り付けられる。
【００１６】
前記パネルユニットＵを構成する縦枠３Ａ、３Ｂの内、一方の縦枠３Ａは図２に示されるように、略方形断面の縦枠本体の室外がわ面において、その内方側にガラス支持部２０を備えるとともに、外方側に室外がわに延在する押縁取付け片２１を備え、かつ外側見込み面にはウインドバリア取付け片２２ａとレインバリア取付け片２２ｂとが形成されている。他方の縦枠３Ｂも同様に、略方形断面の縦枠本体の室外がわ面において、その内方側にガラス支持部２０を備えるとともに、外方側に室外がわに延在する押縁取付け片２１を備えるが、外側見込み面には前記ウインドバリア取付け片２２ａに係止されたウインドバリア２３が当接する突片２４ａと、前記レインバリア取付け片２２ｂに係止されたレインバリア２５が当接する突片２４ｂとが形成されている。前記押縁取付け片２１，２１には、それぞれ縦押縁６Ａ、６Ｂが取り付けられ、ガラスＧ、Ｇを間に挟んで、室内側および室外側にそれぞれ施工されたバックアップ材・シーリング材３４、３４により前記ガラスＧ、Ｇが嵌合溝内に支持されている。前記縦枠３Ａ、３ＢはパネルユニットＵが隣接配置された状態で左右対の関係で組み合わされる。
【００１７】
一方、前記パネルユニットＵを構成する上・下横枠４Ａ、４Ｂの内、一方の上横枠４Ａは図４に示されるように、断面略方形状の横枠本体の室外がわに延在して下方側に向けてガラス嵌合溝を形成するように押縁取付け用延在片２８が形成され、この押縁取付け用延在片２８に横押縁７Ａが取付けられ、前記横枠本体に取り付けられたガラス背面支持用ガスケット３０と、バックアップ材・シーリング材３１によってガラスＧ、Ｇが前記ガラス嵌合溝内に支持されている。
【００１８】
また、他方の下横枠４Ｂは、断面略方形状の横枠本体の室外がわに延在して上方側に向けてガラス嵌合溝を形成するように押縁取付け用延在片３２が形成され、この押縁取付け用延在片３２に横押縁７Ｂが取付けられ、ガラスＧ、Ｇを間に挟んで、室内側および室外側にそれぞれ施工されたバックアップ材・シーリング材３４、３４により前記ガラスＧ、Ｇがガラス嵌合溝内に支持されている。前記上横枠４Ａ、下横枠４Ｂは、パネルユニットＵが隣接配置された状態で上下対の関係で組み合わされる。
【００１９】
他方、中間横枠５は、図３に示されるように、単一中空断面の横枠本体の室外がわ面に、上下段配置でそれぞれ上側ガラス用押縁取付け片３５と、下側ガラス用押縁取付け片３６とが設けられ、前記上側ガラス用押縁取付け片３５に取り付けられた横押縁８Ａによって上側ガラス嵌合溝が形成されるとともに、前記下側ガラス用押縁取付け片３６に取り付けられた横押縁８Ｂによって下側ガラス嵌合溝が形成されている。ガラスＧ、Ｇは、室内側および室外側にそれぞれ施工されたバックアップ材・シーリング材３４またはガラス背面支持用ガスケット３０によりガラス嵌合溝内に支持されている。
【００２０】
以上、分割方立１３Ａ、１３Ｂを含みながら構成されたパネルユニットＵは、躯体（床）に固定された方立支持金具に対して順に取り付けられる。前記方立支持金具は、図９および図１０に示されるように、躯体Ｆの端部にアンカー金具５０が埋設固定されるとともに、このアンカー金具５０に頭部が嵌合支持され、かつネジ部を外部に突出させて設けられた固定用ボルト５１およびナット５１Ａによってファスナー５２が固定された構造のもので、前記分割方立１３の上部側に取付け金具５３をボルト５４，５４によって固定しておき、図示しないクレーン設備等によって前記パネルユニットＵを取付け位置まで吊り運搬したならば、前記取付け金具５３とファスナー５２との間にライナー金具５５を介在させた状態で固定用ボルト５６およびナット５６Ａによって締結し固定する。なお、前記取付け金具５３の上部にはボルト保持用筒５３ａが一体的に設けられ、かつこのボルト保持用筒５３ａに螺入された上下方向調整ボルト５７の先端が前記ライナー金具５５より延在する上部フランジ片５５ａの水平面に当接することにより据え付け時に分割方立１３の鉛直方向の建付けが調整されるようになっている。前記カーテンウォール支持部は、各フロア毎に設けられ、相対的に下段側の方立１３頭部に下半部が嵌合され、ボルト５４によって固定された接合用部材５８の上部が上段側方立１３の中空部に挿入されることによって方立１３の連続性が確保されるようになっている。なお、前記ボルト保持用筒５３ａの内面に雌ネジを設け、上下方向調整ボルト５７を螺入してもよい。
【００２１】
前記パネルユニットＵ、Ｕ…を上下左右に隣接配置した状態において、水平方向に隣接するパネルユニットＵ間では、図２に示されるように、隣接する縦枠３Ａ、３Ｂ間においてレインバリア２５，ウインドバリア２３によって気水密性が確保されるようになっているとともに、上下方向に隣接するパネルユニットＵ、Ｕ間では、図４に示されるように、上枠は室内がわ寄り位置に部材長手方向に沿ってシールパッキン４２を有する起立壁４０を有し、上段側に設置されたパネルユニットＵの下枠４Ｂから垂下する垂下片４１が前記シールパッキン４２に接触することにより気水密性が確保されるようになっている。
【００２２】
一方、各パネルユニットＵ，Ｕ…の隅部が交合する目地交点部においては、図４〜図６に示されるように、隣接する上・下横枠４Ａ、４Ｂ間では、室外がわ寄り位置に上横枠４Ａの上面側に気密バリヤ３９を一体的に備えるレインバリア３８が縦目地Ｍを交差しながら両上枠４Ａ、４Ａ間に跨る所定区間に配設されるとともに、上枠４Ａの室内がわ寄り位置に、縦目地Ｍを交差しながら両上枠間に跨る所定区間にウインドバリヤ２９が夫々配設されている。この場合、前記レインバリヤ３８とウインドバリヤ２９との間に形成されている横樋４４が、水平方向目地ラインＬＳの基準線（下側）よりも深く形成されていることにより、前記ウインドバリヤ２９との間で高低差が確保され、水密性能の向上が図られている。
【００２３】
前記レインバリヤ３８は、詳細には図７に示されるように、断面略Ｌ字状を成すゴム系材料からなる定型シール材が用いられ、その上面側に、ある程度以上の弾性を有するように樹脂・ゴム等の発泡体等（以下、成形体という。）よりなる気密バリヤ３９を一体的に備え、縦目地Ｍを交差しながら両上枠４Ａ、４Ａ間に跨る所定区間に配設されている。設置状態では、上段側に設置されるユニットＵの下枠４Ｂから垂下する垂下片４５の先端が前記気密バリヤ３９に当接するようになっているとともに、レインバリア３８の舌片３８ａが下横枠４Ｂの下面に接触するようになっており、目地交点部からの雨水浸入を防止するとともに、後述のように、上段パネルユニットＵの縦目地から落下する雨水Ｒを受け止め、そのまま外部に排出するようになっている。
【００２４】
一方、前記ウインドバリヤ２９は、詳細には図８に示されるように、前記シールパッキン４２および垂下片４１による水平方向のシール部よりも上部側に縦目地Ｍを交差しながら両上枠４Ａ、４Ａ間に跨る所定区間に配設される成形体よりなる第１の気密バリヤ４６と、前記左右のパネルユニットＵ，Ｕ間において前記起立壁４０，４０同士の間隙部分に挿入されるとともに、前記シールパッキン４２の端面が当接する目地部気密バリヤ４７と、前記垂下片４１の下方側位置に縦目地Ｍを交差しながら両上枠４Ａ、４Ａ間に跨る所定区間に配設されるとともに、前記垂下片４１の先端が当接する成形体よりなる第２の気密バリヤ４８と、この第２の気密バリヤ４８の設置座面を形成する所定断面形状のゴム部材４９とが一体的に形成された定型シール材で、パネルユニットＵ，Ｕの設置状態では、前記第１の気密バリヤ４６が上枠４Ａと下枠４Ｂとに密着し、かつ下枠４Ｂから垂下する垂下片４１の先端が第２の気密バリヤ４８に当接することにより水密性が確保される。また、前記目地部気密バリヤ４７が起立壁４０、４０の間隙に嵌挿されることにより隙間が封鎖されると共に、シールパッキン４２の端面が当接することにより水平方向に沿ってシールの連続性が確保されるようになっている。なお、前記ゴム部材４９は、ウインドバリヤ２９の設置時に全体の変形を抑えるなど形状保持材を兼用するものである。
【００２５】
パネルユニットＵの一般部においては、等圧空間とされる前記横樋４４に雨水が浸入するが、この雨水は横樋４４の底面が室外がわに傾斜する傾斜面となっているため、図４に示されるように、横樋４４の室外がわ寄り位置から縦目地Ｍに落下した後、縦目地Ｍに沿って流れ、下段のパネルユニットＵ，Ｕ間のレインバリヤ３８上面に落下し、外部に排出される。一方、目地交点部では、不定形シール材を一切使用することなく、単に上枠４Ａ、４Ａ間に跨って設置されたウインドバリヤ２９により、すべての隙間が封鎖され完全な止水性が確保されるようになっている。
【００２６】
【発明の効果】
以上詳説のとおり本発明によれば、四周を枠材により枠組みしたユニットを上下左右に隣接配置しながら建物躯体に取り付けるユニット式カーテンウォールにおいて、４枚のパネルユニットが交合する目地交点部について、不定形シール材を一切使用することなく、十分な止水性を確保することが可能になるため、カーテンウォールユニットの施工が効率化できるようになる。
【図面の簡単な説明】
【図１】ユニット式カーテンウォールの正面図である。
【図２】図１のII−II線矢視図である。
【図３】図１のIII−III線矢視図である。
【図４】図１のIV−IV線矢視図である。
【図５】図１のV−V線矢視図である。
【図６】目地交点部における止水構造を示す斜視図である。
【図７】レインバリヤ３８の斜視図である。
【図８】ウインドバリヤ２９の斜視図である。
【図９】方立支持部を示す平面図である。
【図１０】その側面図である。
【図１１】従来の目地交点部の止水構造（その１）を示す斜視図である。
【図１２】従来の目地交点部の止水構造（その２）を示す断面図である。
【符号の説明】
１…カーテンウォール、３Ａ・３Ｂ…縦枠、４Ａ…上枠、４Ｂ…下枠、５…中間横枠、６Ａ・６Ｂ…縦押縁、７Ａ・７Ｂ…横押縁、３８…レインバリヤ、２９…ウインドバリヤ、３９…気密バリヤ、４０…起立壁、４２…シールパッキン、４４…横樋、４６…第１の気密バリヤ、４７…目地部気密バリヤ、４８…第２の気密バリヤ、４９…ゴム部材、Ｍ…縦目地、Ｕ…パネルユニット、ＬＳ…横目地水平ライン
【図１】
0003809995.tif 000002
【図２】
0003809995.tif 000003
【図３】
0003809995.tif 000004
【図４】
0003809995.tif 000005
【図５】
0003809995.tif 000006
【図６】
0003809995.tif 000007
【図７】
0003809995.tif 000008
【図８】
0003809995.tif 000009
【図９】
0003809995.tif 000010
【図１０】
0003809995.tif 000011
【図１１】
0003809995.tif 000012
【図１２】
0003809995.tif 000013